(57)【特許請求の範囲】
【請求項１】
内部に管路を配設した内視鏡本体と、
この本体から着脱自在とされ、上記本体側管路に連結可能となる管路を有する管路ユニットと、
この管路ユニットを接続し、上記管路の開閉弁を制御する電磁弁ユニットと、を備え、
上記管路ユニットに、上記電磁弁ユニットにより上記管路の開閉動作を実行するための操作スイッチを設けたことを特徴とする管路ユニットを分離する内視鏡装置。
【請求項２】
上記内視鏡本体に、上記管路の開閉動作を実行する第１の操作スイッチを設けると共に、上記管路ユニットに、上記管路の開閉動作を実行する第２の操作スイッチを設けたことを特徴とする上記第１請求項記載の管路ユニットを分離する内視鏡装置。
【発明の詳細な説明】
【０００１】
【発明の属する技術分野】
本発明は管路ユニットを分離する内視鏡装置、特に内視鏡に備えた吸引管、送気／送水管等の管路を、管路ユニットにより途中から分離可能として取り扱う内視鏡装置で、その管路を開閉する操作スイッチの配置に関する。
【０００２】
【従来の技術】
従来の、例えば電子内視鏡（スコープ）は、ＣＣＤ（Ｃｈａｒｇｅ  Ｃｏｕｐｌｅｄ  Ｄｅｖｉｃｅ）を有する先端部、挿入部、操作部、ケーブルからなり、このケーブルを光源装置及びプロセッサ装置に接続するようになっている。この内視鏡本体及びケーブルには、ライトガイドや電気信号線が配置され、また先端部へ送気／送水をするための送気管及び送水管や、処置具の挿入及び被観察体内の内容物を吸引する吸引管等が配置される。
【０００３】
このような内視鏡によれば、光源装置の光がライトガイドを介して先端部から照射され、これに基づいてＣＣＤにより被観察体内が撮像・観察される。そしてこのとき、上記送気管及び送水管を用いて先端部から観察窓等へ送気及び送水ができ、上記吸引管を用いて処置具の挿入や被観察体内の汚物等の吸引・排出が可能となる。
【０００４】
【発明が解決しようとする課題】
ところで、上述の内視鏡装置は、医療現場で用いられることから上記各種管路の洗浄や殺菌消毒等が必要であり、この洗浄、消毒を効率よく行うために、上記管路を途中で着脱自在に分離することが提案されている。これによれば、洗浄ブラシによる洗浄が容易となると共に、分離した管路ユニットにつき、オートクレーブ等による滅菌処理等ができることになる。
【０００５】
そして、このような内視鏡装置でも、吸引、送気／送水の各操作スイッチは、従来と同様に内視鏡本体側の操作部に配置されることになり、この操作スイッチの制御信号はプロセッサ装置から電磁弁ユニットへ伝達されるように構成される。しかし、この管路ユニットを分離する構成においては、管路ユニット及び電磁弁ユニットを上記プロセッサ装置や光源装置等と別々に取り扱った方が便利な場合が多い。
【０００６】
例えば、管路ユニットを作業が行い易い場所に移動して洗浄、消毒する場合でも、吸引動作等を行うために、操作スイッチを設けてある内視鏡本体とプロセッサ装置が必要となり、装置全体を移動させなければならない。従って、この管路ユニットを管路動作が可能な状態で他の装置から切り離して取り扱うことができれば便利である。
【０００７】
また、上記管路ユニットには、処置具を挿入するための鉗子口を配置しており、この鉗子口の近くに吸引の操作スイッチがあれば、処置の効率が向上する場合もある。
【０００８】
本発明は上記問題点に鑑みてなされたものであり、その目的は、管路の開閉動作が可能な状態で、管路ユニットをプロセッサ装置等の他の装置から分離して取り扱うことができ、また処置効率の向上も可能となる管路ユニットを分離する内視鏡装置を提供することにある。
【０００９】
【課題を解決するための手段】
上記目的を達成するために、第１請求項の発明に係る管路ユニットを分離する内視鏡装置は、内部に管路を配設した内視鏡本体と、この本体から着脱自在とされ、上記本体側管路に連結可能となる管路を有する管路ユニットと、この管路ユニットを接続し、上記管路の開閉弁を制御する電磁弁ユニットと、を備え、上記管路ユニットに、上記電磁弁ユニットにより上記管路の開閉動作を実行するための操作スイッチを設けたことを特徴とする。
第２請求項の発明は、上記内視鏡本体に、上記管路の開閉動作を実行する第１の操作スイッチを設けると共に、上記管路ユニットに、上記管路の開閉動作を実行する第２の操作スイッチを設けたことを特徴とする。
【００１０】
上記の構成によれば、内視鏡本体側の操作スイッチに頼ることなく、管路ユニットの操作スイッチを押すことにより、例えば吸引管の開閉動作を行うことができる。従って、洗浄等のために、管路ユニットと電磁弁ユニットとを他の装置と別個に取り扱うことが可能となる。また、上記の管路ユニットの操作スイッチ（第２）は、内視鏡本体側の操作スイッチ（第１）と重複する形で設けることができ、この場合は、内視鏡の使用中に操作し易い方の操作スイッチを選択できるという利点がある。
【００１１】
【発明の実施の形態】
図１乃至図５には、実施形態に係る管路ユニットを分離する内視鏡装置の構成が示されており、まず図５により全体構成を説明する。図５において、電子内視鏡１０は、ＣＣＤを有する先端部１０Ａ、挿入部１０Ｂ、操作部１０Ｃ、第１ケーブル１０Ｄからなり、この第１ケーブル１０Ｄのコネクタ１１が光源装置（ユニット）１２に接続され、このコネクタ１１から分岐した信号ケーブルに設けられたコネクタ１３がプロセッサ（画像処理）装置（ユニット）１４へ接続される。
【００１２】
即ち、上記第１ケーブル１０Ｄは、先端部から操作部１０Ｃまで配設されたライトガイド１５及び上記ＣＣＤの駆動制御及び画像信号の読出しを行うための信号線１６を内包しており、上記ライトガイド１５を光源装置へ接続し、上記信号線１６をプロセッサ装置１４へ接続する役目をする。これにより、先端部からの光照射及び上記ＣＣＤからの画像信号の読出し等が可能となる。
【００１３】
また、図１の詳細図にも示されるように、上記操作部（内視鏡本体）１０Ｃには、電気的スイッチである第１の吸引釦（操作スイッチ）１７Ａ、ハードコピー釦１７Ｂが設けられると共に、内部には吸引管１９Ａが設けられる。内視鏡の管路としては、この吸引管１９Ａの他に、送気管、送水管等が配置される場合があり、この場合は、上記操作部１０Ｃに送気／送水釦（二段スイッチ）が設けられる。
【００１４】
そして、図５に示されように、上記の操作部１０Ｃの後端部Ｅに、管路ユニット２０が第１連結部（コネクタ）２１で着脱自在に設けられ、またこの管路ユニット２０は第２連結部２２を介して電磁弁ユニット２３に接続される。即ち、この管路ユニット２０は、支持部２０Ａと第２ケーブル２０Ｂから構成され、この管路ユニット２０内には、図１に示されるように、上記の操作部１０Ｃ側の吸引管１９Ａに連結されることになる吸引管１９Ｂが配置され、これらの管路は電磁弁ユニット２３まで導かれる。
【００１５】
なお、上記吸引管１９Ｂには分岐管２４を介して鉗子口２５が設けられ、この鉗子口２５は処置具の導入口となり、吸引管１９Ａ，Ｂは処置具挿通チャンネルの役目もすることになる。
【００１６】
また、上記電磁弁ユニット２３は、上記プロセッサ装置１４に電気的に接続されており、この電磁弁ユニット２３は、上記第１の吸引釦１７Ａの操作制御信号を入力し、内部の電磁弁を開閉制御することにより、上記各管路１９Ａ，１９Ｂ等を介して吸引の動作を行うことができる。
【００１７】
図１に示されるように、上記管路ユニット２０を上記操作部１０Ｃへ接続するための第１連結部２１は、ネジ固定式となっている。即ち、この操作部１０Ｃの後端部Ｅに、雄ネジを外周に形成した受け部２７が取り付けられ、管路ユニット２０の支持部２０Ａには、雌ネジを内周に形成した回転体２８が設けられる。従って、この回転体２８を受け部２７に螺合結合することにより、管路ユニット２０を操作部１０Ｃに接続固定し、上記吸引管１９Ａ，１９Ｂを連結することができる。
【００１８】
そうして、このような管路ユニット２０の支持部２０Ａにおいて、図２にも示されるように、上記鉗子口２５の下側に、第２の吸引釦（操作スイッチ）３０が配置され、この第２の吸引釦３０は接続線３１により第２ケーブル２０Ｂを介して電磁弁ユニット２３へ接続される。なお、図２に示されるように、操作部１０Ｃには、先端部の曲げ操作をするためのアングルツマミ３２が設けられる。
【００１９】
図３には、第２連結部２２及び電磁弁ユニット２３の構成が示されている。図３に示されるように、この第２連結部２２では、第２ケーブル２０Ｂ側にスライド操作リング３３が設けられ、電磁弁ユニット２３側に上下動可能な係止用ボール３４を保持した支持筒３５が配置された構成となっている。これによれば、上記のスライド操作リング３３の軸方向のスライドにより、上記ボール３４が第２ケーブル２０Ｂ側の支持筒の溝に係止し、又はこの係止を解除することにより、着脱が可能となる。
【００２０】
そして、第２ケーブル２０Ｂ内を通された第２の吸引釦３０の接続線３１は、ピン状電極３６と筒状電極３７で電磁弁ユニット２３へ接続される。この電磁弁ユニット２３内には、制御回路３８が設けられており、この制御回路３８に上記第２の吸引釦３０からの制御信号が入力される。
【００２１】
また、この制御回路３８には、図５で示したプロセッサ装置１４から入力される第１の吸引釦１７Ａからの制御信号も供給されており、これらの制御信号に基づいて制御回路３８では、電磁弁（開閉弁）の開閉を行うことになる。更に、実施形態例では、第１の吸引釦１７Ａ又は第２の吸引釦３０の何れか一方を有効とする場合、又は双方を有効とする場合の選択が、プロセッサ装置１４或いは電磁弁ユニット２３で行えるようになっている。
【００２２】
図４には、電磁弁ユニット２３での吸引動作に関する構成が示されており、図示されるように、吸引管１９Ｂに配置された電磁弁で構成する弁部４０、吸引のためのポンプ４１、回収タンク４２（外部に配置される）が図示のように接続される。
【００２３】
実施形態例は以上の構成からなり、内視鏡を使用する際には、管路ユニット２０が本体側へ接続され、上述した第１の吸引釦１７Ａと第２の吸引釦３０の双方を有効とした場合は、適宜操作し易い方の吸引釦を用いて吸引動作を行うことができる。また、使用の目的に応じて何れかの吸引釦１７Ａ，３０を有効となるようにしてもよい。そして、この吸引動作は、図４に示されるポンプ４１を作動させ、弁部４０の電磁弁を開状態とすることにより吸引管１９Ａ，Ｂによって行われ、吸引したものはタンク４２内に回収される。
【００２４】
一方、洗浄等において上記管路ユニット２０を本体側から分離して、上記電磁弁ユニット２３と共に取り扱う場合でも、上記第２の吸引釦３０を用いて吸引動作を実行することができる。
【００２５】
上記実施形態例の図では、吸引管１９Ａ，Ｂのみを設けた例を説明したが、内視鏡では、送気管或いは送水管等も配置されており、これらの管についても同様に適用することが可能である。
【００２６】
【発明の効果】
以上説明したように、本発明によれば、内視鏡本体から管路ユニットを着脱自在とし、電磁弁ユニットで管路の開閉を行う内視鏡で、上記の管路ユニットに、上記管路の開閉動作を実行する操作スイッチを設けたので、管路動作が可能な状態で、上記管路ユニットをプロセッサ装置等の他の装置から分離して取り扱うことができる。また、内視鏡の使用中では、第１又は第２の操作スイッチを選択的に用いることができ、処置効率の向上も図れるという利点もある。
【図面の簡単な説明】
【図１】本発明の実施形態例に係る管路ユニットを分離する内視鏡装置（第１連結部）の構成を示す断面図である。
【図２】図１の内視鏡を操作部の後端側から見た図である。
【図３】実施形態例の内視鏡装置の電磁弁ユニット（第２連結部）側の構成を示す図である。
【図４】電磁弁ユニット側の吸引動作の構成を示す図である。
【図５】実施形態例の装置の全体構成を示す図である。
【符号の説明】
１０  …  電子内視鏡、
１０Ｃ  …  操作部（本体側）、
１７Ａ，３０  …  吸引釦（操作スイッチ）、
１９Ａ，１９Ｂ  …  吸引管、
２０  …  管路ユニット、
２３  …  電磁弁ユニット、
３８  …  制御回路。
【図１】
0003621799.tif 000002
【図２】
0003621799.tif 000003
【図３】
0003621799.tif 000004
【図４】
0003621799.tif 000005
【図５】
0003621799.tif 000006